【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）ゲートウェイであって、前記Ｍ２Ｍゲートウェイは、
他のＭ２Ｍゲートウェイと通信するために使用されることが可能なＭ２Ｍサービス能力インタフェースを提供し、
共通サービスレイヤを提供し、前記Ｍ２Ｍサービス能力インタフェースを使用して、共有されることになる１または複数のＭ２Ｍサービス能力により提供されたＭ２Ｍ機能を許可し、
前記共通サービスレイヤを介して、Ｍ２Ｍアプリケーションと前記１または複数のＭ２Ｍサービス能力との間において、要求を経路制御し、前記Ｍ２Ｍアプリケーションに、前記１または複数のＭ２Ｍサービス能力を使用することを許可する
ように構成されたプロセッサを備えたことを特徴とするＭ２Ｍゲートウェイ。
【請求項２】
前記１または複数のＭ２Ｍサービス能力は、管理機能を含むことを特徴とする請求項１に記載されたＭ２Ｍゲートウェイ。
【請求項３】
前記１または複数のＭ２Ｍサービス能力は、デバイス管理機能を含むことを特徴とする請求項１に記載されたＭ２Ｍゲートウェイ。
【請求項４】
前記１または複数のＭ２Ｍサービス能力は、通信管理機能を含むことを特徴とする請求項１に記載されたＭ２Ｍゲートウェイ。
【請求項５】
前記１または複数のＭ２Ｍサービス能力は、データ管理およびリポジトリ機能を含むことを特徴とする請求項１に記載されたＭ２Ｍゲートウェイ。
【請求項６】
前記１または複数のＭ２Ｍサービス能力は、ネットワーク選択機能を含むことを特徴とする請求項１に記載されたＭ２Ｍゲートウェイ。
【請求項７】
前記１または複数のＭ２Ｍサービス能力は、サービス課金およびアカウンティング機能を含むことを特徴とする請求項１に記載されたＭ２Ｍゲートウェイ。
【請求項８】
前記プロセッサは、
前記Ｍ２Ｍゲートウェイを、前記１または複数のＭ２Ｍサービス能力に登録し、
前記１または複数のＭ２Ｍサービス能力に属するリソースにアクセスする
ことにより、前記共通サービスレイヤを介して、前記Ｍ２Ｍアプリケーションと前記１または複数のＭ２Ｍサービス能力との間において、前記要求を経路制御するように構成されることを特徴とする請求項１に記載されたＭ２Ｍゲートウェイ。
【請求項９】
前記プロセッサは、
前記Ｍ２Ｍゲートウェイを、前記他のＭ２Ｍゲートウェイを介して、前記１または複数のＭ２Ｍサービス能力に登録し、
前記他のＭ２Ｍゲートウェイを介して、前記１または複数のＭ２Ｍサービス能力に属するリソースにアクセスする
ことにより、前記共通サービスレイヤを介して、前記Ｍ２Ｍアプリケーションと前記１または複数のＭ２Ｍサービス能力との間において、前記要求を経路制御するように構成されることを特徴とする請求項１に記載されたＭ２Ｍゲートウェイ。
【請求項１０】
前記プロセッサは、Ｍ２Ｍネットワークに接続されたデバイスに対するゲートウェイ管理プロキシを提供するようにさらに構成されることを特徴とする請求項１に記載されたＭ２Ｍゲートウェイ。
【請求項１１】
前記プロセッサは、
Ｍ２Ｍコアネットワークが前記Ｍ２Ｍゲートウェイを登録することを要求し、
前記Ｍ２Ｍコアネットワークから登録許可を受信し、前記１または複数のＭ２Ｍサービス能力によって提供された前記Ｍ２Ｍ機能を使用する
ようにさらに構成されることを特徴とする請求項１に記載されたＭ２Ｍゲートウェイ。
【請求項１２】
前記プロセッサは、前記Ｍ２Ｍゲートウェイに関する情報を、前記Ｍ２Ｍコアネットワークに送ることにより、前記Ｍ２Ｍコアネットワークが前記Ｍ２Ｍゲートウェイを登録することを要求するように構成されることを特徴とする請求項１１に記載されたＭ２Ｍゲートウェイ。
【請求項１３】
前記Ｍ２Ｍゲートウェイに関する前記情報は、少なくとも、利用可能な電力レベル、利用可能な容量レベル、識別、またはサービスクラスを含むことを特徴とする請求項１２に記載されたＭ２Ｍゲートウェイ。
【請求項１４】
マシンツーマシン（Ｍ２Ｍ）通信をサポートする方法であって、前記方法は、
他のＭ２Ｍゲートウェイと通信するために使用されることが可能なＭ２Ｍサービス能力インタフェースをＭ２Ｍゲートウェイを介して提供するステップと、
共通サービスレイヤを提供し、前記Ｍ２Ｍサービス能力インタフェースを使用して、共有されることになる１または複数のＭ２Ｍサービス能力により提供されたＭ２Ｍ機能を許可するステップと、
前記共通サービスレイヤを介して、Ｍ２Ｍアプリケーションと前記１または複数のＭ２Ｍサービス能力との間において、要求を経路制御し、前記Ｍ２Ｍアプリケーションに、前記１または複数のＭ２Ｍサービス能力を使用することを許可するステップと
を備えたことを特徴とする方法。
【請求項１５】
前記１または複数のＭ２Ｍサービス能力は、管理機能を含むことを特徴とする請求項１４に記載された方法。
【請求項１６】
前記１または複数のＭ２Ｍサービス能力は、デバイス管理機能を含むことを特徴とする請求項１４に記載された方法。
【請求項１７】
前記１または複数のＭ２Ｍサービス能力は、通信管理機能を含むことを特徴とする請求項１４に記載された方法。
【請求項１８】
前記１または複数のＭ２Ｍサービス能力は、データ管理およびリポジトリ機能を含むことを特徴とする請求項１４に記載された方法。
【請求項１９】
前記１または複数のＭ２Ｍサービス能力は、ネットワーク選択機能を含むことを特徴とする請求項１４に記載された方法。
【請求項２０】
前記１または複数のＭ２Ｍサービス能力は、サービス課金およびアカウンティング機能を含むことを特徴とする請求項１４に記載された方法。
【請求項２１】
前記共通サービスレイヤを介して、前記Ｍ２Ｍアプリケーションと前記１または複数のＭ２Ｍサービス能力との間において、前記要求を経路制御することは、
前記Ｍ２Ｍゲートウェイを、前記１または複数のＭ２Ｍサービス能力に登録することと、
前記１または複数のＭ２Ｍサービス能力に属するリソースにアクセスすることと
を含むことを特徴とする請求項１４に記載された方法。
【請求項２２】
前記共通サービスレイヤを介して、前記Ｍ２Ｍアプリケーションと前記１または複数のＭ２Ｍサービス能力との間において、前記要求を経路制御することは、
前記Ｍ２Ｍゲートウェイを、前記他のＭ２Ｍゲートウェイを介して、前記１または複数のＭ２Ｍサービス能力に登録することと、
前記他のＭ２Ｍゲートウェイを介して、前記１または複数のＭ２Ｍサービス能力に属するリソースにアクセスすることと
を含むことを特徴とする請求項１４に記載された方法。
【請求項２３】
Ｍ２Ｍネットワークに接続されたデバイスに対するゲートウェイ管理プロキシを提供するステップをさらに備えたことを特徴とする請求項１４に記載された方法。
【請求項２４】
Ｍ２Ｍコアネットワークが前記Ｍ２Ｍゲートウェイを登録することを要求するステップと、
前記Ｍ２Ｍコアネットワークから登録許可を受信し、前記１または複数のＭ２Ｍサービス能力によって提供された前記Ｍ２Ｍ機能を使用するステップと
をさらに備えたことを特徴とする請求項１４に記載された方法。
【請求項２５】
前記Ｍ２Ｍコアネットワークが前記Ｍ２Ｍゲートウェイを登録することは、前記Ｍ２Ｍゲートウェイに関する情報を、前記Ｍ２Ｍコアネットワークに送ることを含むことを特徴とする請求項２４に記載された方法。
【請求項２６】
前記Ｍ２Ｍゲートウェイに関する前記情報は、少なくとも、利用可能な電力レベル、利用可能な容量レベル、識別、またはサービスクラスを含むことを特徴とする請求項２５に記載された方法。